(57)【要約】  水耕栽培装置は、第１貫通孔が形成された膨潤部材を含み、互いに背向する第１主面及び第２主面を有する仕切り部材を有する。また、仕切り部材の第１主面を含む複数面で囲まれた第１空間において、第１主面に対向する位置に設けられた載置面とを有する。第１空間に根菜類の地下部を配置し、第１貫通孔に根菜類の茎部を通す。
2015128911.tif 000002
【特許請求の範囲】
【請求項１】
第１貫通孔が形成された膨潤部材を含み、互いに背向する第１主面及び第２主面を有する仕切り部材と、
前記仕切り部材の前記第１主面を含む複数面で囲まれた第１空間において、前記第１主面に対向する位置に設けられた載置面と、を備える
水耕栽培装置。
【請求項２】
前記第１貫通孔は、前記膨潤部材における水蒸気または水の吸収により、収縮することができる
請求項１に記載の水耕栽培装置。
【請求項３】
前記仕切り部材は、前記膨潤部材と、前記第１貫通孔と繋がる第２貫通孔が形成された断熱部材とを積重ねて形成され、
前記膨潤部材は、前記第１空間に接している
請求項１又は２に記載の水耕栽培装置。
【請求項４】
前記仕切り部材は、前記膨潤部材と、前記膨潤部材を孔内に含む第２貫通孔が形成された断熱部材とで構成された
請求項１又は２に記載の水耕栽培装置。
【請求項５】
前記仕切り部材により前記第１空間と、前記仕切り部材の第２主面を含む複数面で囲まれ、明期と暗期を与えることができる第２空間とに分離される栽培槽と、
前記第２空間の温度を制御する温度制御部と、をさらに備える
請求項１から４のいずれか一項に記載の水耕栽培装置。
【請求項６】
前記温度制御部は、前記第２空間の前記明期における温度を１７℃以上、２３℃以下の範囲に設定することができるとともに、前記第２空間の前記暗記における温度を７℃以上、１３℃以下の範囲に設定することができる
請求項５に記載の水耕栽培装置。
【請求項７】
前記温度制御部は、前記第２空間の前記明期における温度を、前記第２空間の前記暗期における温度よりも７℃以上、１３℃以下の範囲で高く設定することができる
請求項５に記載の水耕栽培装置。
【請求項８】
前記第２空間内に設けられ、前記明期を与えることができる光源をさらに備える
請求項５から７のいずれか一項に記載の水耕栽培装置。
【請求項９】
前記第１空間を構成する前記複数面のひとつに設けられた前記第１空間に養液を注入することができる注入口と、
前記第１空間を構成する前記複数面の他のひとつに設けられた前記第１空間から前記養液を排出することができる排出口とを、さらに備える
請求項１から８のいずれか一項に記載の水耕栽培装置。
【請求項１０】
前記第１空間の内部に設けられた第１除湿部をさらに備える
請求項１から９のいずれか一項に記載の水耕栽培装置。
【請求項１１】
前記第１空間の外部に設けられる第２除湿部と、前記第２除湿部と前記第１空間とを連通する連通部と、をさらに備える
請求項１から９いずれか一項に記載の水耕栽培装置。
【請求項１２】
地上部と、地下部と、前記地上部と前記地下部とを繋ぐ茎部とを有する根菜類を、請求項１に記載の水耕栽培装置を用いて栽培する水耕栽培方法であって、
養液と前記地下部とを前記第１空間に配置して、前記膨潤部材に形成された前記第１貫通孔に前記茎部を通し、
前記第１貫通孔の孔径を、前記茎部と接触する大きさに収縮させる
水耕栽培方法。
【請求項１３】
前記膨潤部材に水蒸気または水を吸収させて前記第１貫通孔を収縮させる
請求項１２に記載の水耕栽培方法。
【請求項１４】
前記地上部は、前記仕切り部材の前記第２主面を含む複数面で囲まれ、明期と暗期とを与えられる第２空間に配置され、
前記根菜類の根茎形成期において、前記第２空間において、前記明期の温度を前記暗期の温度よりも高くする
請求項１２または１３に記載の水耕栽培方法。
【請求項１５】
前記第２空間の前記明期における温度を１７℃以上、２３℃以下の範囲にするとともに、前記第２空間の前記暗期における温度を７℃以上、１３℃以下の範囲にする
請求項１４に記載の水耕栽培方法。
【請求項１６】
前記第２空間の前記明期における温度を、前記第２空間の前記暗期における温度よりも７℃以上、１３℃以下の範囲で高くする
請求項１４に記載の水耕栽培方法。
【発明の詳細な説明】
【技術分野】
【０００１】
本発明は水耕栽培装置とそれを用いた水耕栽培方法に関する。
【背景技術】
【０００２】
従来より、効率良く植物を栽培するために、温度、湿度、養液の供給の制御と、人工光源の作用によって、土耕栽培よりも、植物を効率よく栽培することのできる水耕栽培装置が知られている（特許文献１）。【０００３】
また、根菜類を効率良く栽培するために、皮目肥大を発生させずに塊茎を生産することのできる水耕栽培装置が知られている（特許文献２）。
【先行技術文献】
【特許文献】
【０００４】
【特許文献１】特開２００３−００９６７６号公報
【特許文献２】特開平１０−０９８９６１号公報
【発明の概要】
【０００５】
本発明の水耕栽培装置は、第１貫通孔が形成された膨潤部材を含み、互いに背向する第１主面及び第２主面を有する仕切り部材を有する。水耕栽培装置は、仕切り部材の第１主面を含む複数面で囲まれた第１空間を有し、第１主面に対向する位置に設けられた載置面を有する。
【０００６】
以上の構成により、水耕栽培装置における結露を抑制することができる。
【図面の簡単な説明】
【０００７】
【図１】図１は、本発明の実施形態１における水耕栽培装置の断面図である。
【図２】図２は、図１に示す水耕栽培装置の領域Ａを拡大した図である。
【図３】図３は、本発明の実施形態２おける水耕栽培装置の断面図である。
【図４】図４は、図３に示す水耕栽培装置の領域Ｂを拡大した図である。
【図５】図５は、本発明の実施形態３における水耕栽培装置の断面図である。
【図６】図６は、本発明の実施形態４における水耕栽培装置の断面図である。
【図７】図７は、本発明の実施形態５における水耕栽培装置の断面図である。
【図８】図８は、本発明の実施形態６における水耕栽培装置の断面図である。
【図９】図９は、本発明の実施形態７における水耕栽培装置の断面図である。
【発明を実施するための形態】
【０００８】
本発明の実施形態の説明に先立ち、関連技術の水耕栽培装置における課題を説明する。
【０００９】
特許文献１に記載の装置では、植物体を地上部と地下部で分離して気温を独立に制御することができない。また、養液の付近において結露し、カビが発生する。カビは植物体を腐敗させ、弱らせる原因となる。
【００１０】
また、特許文献２に記載の装置では、植物体である根菜類の地上部を配置する空間と地下部及び養液を配置する空間とを発砲スチロール板で区切っている。発砲スチロール板は植物体の配置を決める定植穴を有しており、ウレタンフォーム片で囲まれた植物体の茎を定植穴に差し込んで固定している。そのため、植物体の成長に伴いウレタンフォーム片の位置が変動する。ウレタンフォーム片の位置の変動により、ウレタンフォーム片と植物体との間、または、ウレタンフォーム片と定植穴との間に隙間が生じる。この隙間を通じて、環境制御された地上部を配置した空間と地下部及び養液を配置した空間との間で熱交換が発生する。地上部を配置した空間内の気温を明暗周期に連動して変化させる際に、熱交換により、地下部及び養液を配置した空間の温度が下がると、結露する。その結果、カビが発生する。
【００１１】
本発明は、根菜類を、地上部と地下部を分離して水耕栽培する装置において、地下部、または、定植穴の付近における結露を回避し、カビの発生を防止することができる。
【００１２】
本発明の一態様にかかる水耕栽培装置を、図面を参照しながら説明する。なお、以下に説明する実施形態は、いずれも好ましい一具体例を示すものである。したがって、以下の実施形態で示される数値、形状、材料、構成要素、構成要素の配置位置及び接続形態、工程、工程の順などは、一例であって本発明を限定するものではない。
【００１３】
また、各図は模式図であり、必ずしも厳密に図示されたものではない。各図において、実質的に同一の構造については同一の符号を付しており、重複する説明は省略または簡略化する。
【００１４】
（実施形態１）
以下、本発明の実施形態１における水耕栽培装置１Ａについて図１及び図２を参照して説明する。
【００１５】
図１は、水耕栽培装置１Ａの断面図である。図２は、図１における領域Ａを拡大した図である。水耕栽培装置１Ａでは、例えば、ジャガイモなどの根菜類の定植苗１０を育成することができる。
【００１６】
水耕栽培装置１Ａは、仕切り部材３を有する。図１において、仕切り部材３よりも下方が第１空間２１、上方が第２空間２２となる。
【００１７】
仕切り部材３は、貫通孔３３（第１貫通孔３３１）が形成された膨潤部材３１を含み、互いに背向する第１主面３４１及び第２主面３４２を有する。水耕栽培装置１Ａは、仕切り部材３の第１主面３４１を含む複数面２１１で囲まれた第１空間２１において、第１主面３４１に対向する位置に載置面６１を有する。膨潤部材３１に形成された第１貫通孔３３１は、膨潤部材３１における水蒸気または水の吸収により、収縮することができる。
【００１８】
水耕栽培装置１Ａにおいて、仕切り部材３は、膨潤部材３１と断熱部材３２とを積重ねて形成することができる。仕切り部材３の貫通孔３３は、膨潤部材３１に形成された第１貫通孔３３１と断熱部材３２に形成された第２貫通孔３３２とを繋げて形成されている。膨潤部材３１は、第１空間２１に接している。
【００１９】
膨潤部材３１は、吸湿性または吸水性を有しており、水蒸気または水を吸収することにより膨張する。すなわち、膨潤性も有する。膨潤部材３１は、柔軟性、弾性を有し、吸湿または吸水により、柔軟性、弾性を増すことができる。膨潤部材３１として、例えば超高吸水性樹脂のアクリル系樹脂やポリエチレングリコールなどを用いることができる。
【００２０】
断熱部材３２は、断熱性を有する。断熱部材３２として、例えばグラスウール、木質繊維ボード、発砲スチロール、硬質ウレタンフォームなどを用いることができる。特に木質繊維ボードなど天然繊維は、比較的に吸放湿性が高く、結露しにくいために好ましい。
【００２１】
仕切り部材３は平板状である。仕切り部材３において、膨潤部材３１と断熱部材３２とを積重ねることにより、機械的強度を増すことができる。この構成により、仕切り部材３に自重を支える程度の強度を与えることができる。
【００２２】
仕切り部材３は、膨潤部材３１を第１空間２１に向けて配置されている。膨潤部材３１は、後述する養液５の入った第１空間２１に曝されている。これにより、養液５から蒸発する水蒸気を効率的に吸収することができる。
【００２３】
水耕栽培装置１Ａは、例えば、栽培槽２の内部を仕切り部材３によって、空間的に分離することにより構成することができる。栽培槽２内において、仕切り部材３の第１主面３４１を含む複数面２１１に囲まれた空間を第１空間２１とし、第２主面３４２を含む複数面２２１に囲まれた空間を第２空間２２とする。第１空間２１を構成する複数面２１１及び、第２空間２２を構成する複数面２２１として、栽培槽２の内面を用いることができる。
【００２４】
根菜類などの定植苗１０は、一般に葉部１０４を有する地上部とジャガイモなど塊茎１０１を形成する地下部、地上部と地下部とを繋ぐ茎部１０２を有している。第１空間２１には、定植苗１０の地下部と養液５を配置し、第２空間２２には、地上部を配置する。仕切り部材３の貫通孔３３内には、茎部１０２を貫通させる。定植苗１０の茎部１０２を、仕切り部材３の貫通孔３３に通すことにより、定植苗１０が仕切り部材３により把持され、地上部が第２空間２２に配置され、地下部が第１空間２１に配置される。
【００２５】
第１貫通孔３３１の孔径は、膨潤部材３１が吸湿または吸水していない状態において、茎部１０２を第１貫通孔３３１に貫通させたときに、茎部１０２と第１貫通孔３３１の孔壁との間に隙間があることが好ましい。第１貫通孔３３１は、膨潤部材３１の吸湿または吸水による膨張により、茎部１０２と接触する程度まで収縮できる大きさであることが好ましい。膨潤部材３１が吸湿または吸水していない状態において、第１貫通孔３３１の孔径は、例えば１０ｍｍ以上、２０ｍｍ以下である。なお、膨潤部材３１は、柔軟性と弾性も有している。そのため、第１貫通孔３３１に定植苗１０を通す際、第１貫通孔３３１の孔径は大きくなり、その後に元の孔径に戻ることができる。
【００２６】
第２貫通孔３３２の孔径は、茎部１０２に触れることなく通すことができる大きさが好ましい。そして、膨潤部材３１の膨張により第１貫通孔３３１の孔壁が茎部１０２に接触した状態にあっても、第２貫通孔３３２の孔壁は、茎部１０２に触れていないことが好ましい。第２貫通孔３３２の孔径は、例えば、２０ｍｍ以上、５０ｍｍ以下である。
【００２７】
膨潤部材３１が吸湿または吸水していない状態において、第２貫通孔３３２の孔径は、第１貫通孔３３１の孔径よりも大きいことが好ましい。定植苗１０を貫通孔３３に配置する作業が容易になるからである。
【００２８】
なお、膨潤部材３１が吸湿または吸水していない状態とは、例えば、水耕栽培装置１Ａの工場出荷時の状態（初期状態）や、膨潤部材３１を乾燥させた状態である。
【００２９】
第１貫通孔３３１及び第２貫通孔３３２は、円形が好ましいが、その限りではない。例えば、多角形や星形でもよい。
【００３０】
載置台６は、図１において、貫通孔３３の下にあり、成長する塊茎１０１を乗せることができる載置面６１を有している。養液５は、載置台６の周囲に、液面が載置面６１よりも低くなるように第１空間２１内に入れられている。これにより、根部１０３が養液５に接触し、養液５を吸収することができる。さらに、塊茎１０１が養液５に接するのを防ぎ、皮目肥大の発生や腐敗を防ぐことができる。なお、載置面６１は、根部１０３を貫通させることができ、かつ、塊茎１０１を貫通させることができない、隙間を有していることが好ましい。塊茎１０１が養液５に触れることを防ぎ、根部１０３が載置面６１を貫通し、載置面６１の下にある養液５に触れることができる。
【００３１】
図１において、載置台６は、第１空間２１の下部、すなわち栽培槽２の底部から、上方向に突出するように配置されているが、これに限られない。例えば、載置面６１に隙間を有する載置台６を第１空間の下部全面、すなわち栽培槽２の底部全面に配置してもよい。
【００３２】
第２空間２２は、明期と暗期をあたえることが好ましい。水耕栽培装置１Ａは、第２空間２２の温度を制御する温度制御部４を有することが好ましい。温度制御部４は、熱交換部４１等の加熱、冷却機能を有していることが好ましい。
【００３３】
明期と暗期は、例えば、太陽光により実現することも可能である。また、第２空間２２に、ＬＥＤなどの光源７を設けることにより明期と暗期を人工的に作り出すことも可能である。すなわち、太陽周期による昼夜の明期と暗期を、光源７により模倣することができる。
【００３４】
根菜類の定植苗１０の塊茎形成期において、第２空間２２の明期の温度を暗期の温度よりも高くなるように温度設定をすることが好ましい。温度制御部４は、第２空間２２の温度を、例えば、明期において１７℃以上、２３℃以下の範囲に設定できるとともに、暗期において７℃以上、１３℃以下の範囲に設定することができることが好ましい。第２空間２２において、暗期より明期の温度を７℃以上、１３℃以下の範囲で高く設定できることが好ましい。上記の温度範囲に設定することにより、ジャガイモなどの根菜類の収量を向上させることができる。
【００３５】
水耕栽培装置１Ａにおいて、第１貫通孔３３１を有する膨潤部材３１は、（吸湿性または吸水性）と膨潤性とを有しているので、主に、第１空間２１に入っている養液５から蒸発した水蒸気を吸収し、膨張することができる。この膨張により、第１貫通孔３３１が収縮する。膨潤部材３１は柔軟性も有しているので、第１貫通孔３３１の孔径は、定植苗１０の成長による茎部１０２の寸法の変化にも追従することができる。すなわち、第１貫通孔３３１の孔壁が、常に茎部１０２に密着する状態を維持することができる。この密着により、第１貫通孔３３１と茎部１０２との間に隙間が生じるのを防ぐことができる。この構成により、仕切り部材３は、定植苗１０の地上部を配置する第２空間２２と地下部を配置する第１空間２１とを分離することができる。すなわち、第１空間２１と第２空間２２との間における、空気の移動を抑制することができる。空気の移動に伴う、水蒸気及び熱の移動も抑制される。
【００３６】
更に、膨潤部材３１は、養液５から蒸発した水蒸気を吸収することにより、第１空間２１での結露を抑制することができる。また、断熱部材３２は、第１空間２１と第２空間２２との熱交換を遮断することができる。それにより、温度制御部４により第２空間２２の温度を明暗周期に連動して変化させても、第１空間２１の温度はその影響を受けない。特に暗期において、第２空間２２の温度を下げても、第１空間２１における温度の低下を抑制できる。その結果、第１空間２１において、結露が回避される。以上のように、第１空間２１における結露を防ぐことにより、カビの発生を防止することができる。
【００３７】
また、仕切り部材３において、膨潤部材３１が吸湿または吸水性を有するため、貫通孔３３およびその近傍における茎部１０２の結露を防止し、カビの発生を抑制することができる。
【００３８】
（実施形態２）
以下、本発明の実施形態２における水耕栽培装置１Ｂについて図３及び図４を参照して説明する。
【００３９】
図３は、水耕栽培装置１Ｂの断面図である。図４は、図３における領域Ｂを拡大した図である。実施形態１に係る水耕栽培装置１Ａの仕切り部材３は、膨潤部材３１と断熱部材３２とを積重ねた多層構造を有している。これに対して、水耕栽培装置１Ｂにおける仕切り部材３Ｂは単層構造である。それ以外の構成は、実施形態１と同じである。
【００４０】
仕切り部材３Ｂは、平板状であり、第１貫通孔３３１が形成された膨潤部材３１と膨潤部材３１を取囲む断熱部材３２により構成することができる。言い換えると、仕切り部材３Ｂにおいて、断熱部材３２に第２貫通孔３３２が形成されており、第２貫通孔３３２の孔内に膨潤部材３１が配置されている。第１貫通孔の孔径は、乾燥時において１０ｍｍ以上、２０ｍｍ以下が好ましい。第２貫通孔の孔径は２０ｍｍ以上、５０ｍｍ以下が好ましい。膨潤部材３１の使用量を減量することができる。
【００４１】
仕切り部材３Ｂは、平板状の断熱部材３２の第２貫通孔３３２の内側に、膨潤部材３１を充填することにより、形成することができる。また、第１貫通孔が形成された膨潤部材３１を断熱部材３２で囲むように一体成型することにより形成することもできる。
【００４２】
水耕栽培装置１Ｂに定植苗１０を配置する方法として、以下の方法も可能である。例えば、膨潤部材３１で囲んだ茎部１０２を仕切り部材３Ｂに形成された第２貫通孔３３２の内側に通すことができる。また、定植苗１０の茎部１０２を第２貫通孔３３２の内側に通した後、第２貫通孔３３２と茎部１０２との隙間に膨潤部材３１を充填してもよい。第２貫通孔３３２の大きさは、第１貫通孔３３１よりも大きいので、定植苗１０の配置作業が容易になる。
【００４３】
（実施形態３）
以下、本発明の実施形態３における水耕栽培装置１Ｃについて図５を参照して説明する。図５は水耕栽培装置１Ｃの断面図である。水耕栽培装置１Ｃは、第１空間２１に第１除湿部７１を有している。それ以外の構成は、実施形態１と同じである。
【００４４】
第１除湿部７１により第１空間２１の湿度を抑制することができる。その結果、第１空間２１内における結露を回避し、カビの発生を防止する効果をさらに高めることができる。水耕栽培装置１Ｃは，第１除湿部７１と第１空間２１の外部とを繋ぐ連通部７１１を有していてもよい。第１除湿部７１で集めた水を第１空間２１の外部に排出することができる。なお、第１除湿部７１で集めた水を養液５に戻して、再利用することも可能である。
【００４５】
なお、第１除湿部７１は、第１空間２１の湿度をモニターすることにより、第１空間２１において、適切な湿度を保つことも可能である。
【００４６】
（実施形態４）
以下、本発明の実施形態４における水耕栽培装置１Ｄについて図６を参照して説明する。図６は水耕栽培装置１Ｄの断面図である。
【００４７】
水耕栽培装置１Ｄは、第１空間２１の外に第２除湿部７２を有している。第２除湿部７２は、連通部７２１を通して第１空間２１に繋がっている。それ以外の構成は、実施形態１と同じである。
【００４８】
第２除湿部７２により、第１空間２１の湿度を抑制することができる。その結果、第１空間２１における結露を回避し、カビの発生を防止する効果をさらに高めることができる。また、第２除湿部７２は第１空間２１の外に設けられる。そのため、第１空間２１をより小さくすることができる。
【００４９】
なお、第２除湿部７２は、第１空間２１の湿度をモニターすることにより、第１空間２１において、適切な湿度を保つことも可能である。
【００５０】
（実施形態５）
以下、本発明の実施形態５における水耕栽培装置１Ｅについて図７を参照して説明する。図７は水耕栽培装置１Ｅの断面図である。
【００５１】
水耕栽培装置１Ｅは、養液の注入口２００と、排出口２０１とを有する。それ以外の構成は、実施形態１と同じである。
【００５２】
注入口２００は、栽培槽２における第１空間２１の側面に設けられ、養液５を第１空間２１に注入することができる。排出口２０１は、第１空間２１の他の側面に近い底部に設けられ、養液５を排出することができる。注入口２００は、第１空間２１を構成する複数面２１１のひとつに配置し、排出口２０１は、第１空間２１を構成する複数面２１１の他のひとつに設けることができる。例えば、排出口２０１を第１空間２１内において、注入口２００を設けた側面と対峙する側面に近い底部に設けることにより、養液５を注入口２００と排出口２０１との間で流動させることができる。その結果、根部１０３に温度や成分を整えた養液５を常時、供給することができる。
【００５３】
また、排水口２０１の高さを調整することにより、養液５の液面の高さを制御することができる。これにより、養液５の液面の高さを載置面６１よりも、常に低くなるように維持することができる。その結果、塊茎１０１が養液５に浸ることが防止され、塊茎１０１の皮目肥大化や腐敗を避けることができる。
【００５４】
排出口２０１から排出された養液５は、そのまま廃棄するようにしてもよいし、例えば循環ポンプなどを用いて循環させて、再度、注入口２００から注入してもよい。
【００５５】
（実施形態６）
以下、本発明の実施形態６における水耕栽培装置１Ｆについて図８を参照して説明する。図８は、水耕栽培装置１Ｆの断面図である。
【００５６】
水耕栽培装置１Ｆは、共有する第２空間２２と、独立する第１空間２１ａ、２１ｂを有する。第１空間２１ａに第１除湿部７１ａが設けられ、第１空間２１ｂに第１除湿部７１ｂが設けられている。それ以外の構成は、実施形態１と同じである。
【００５７】
水耕栽培装置１Ｆは、独立する第１空間２１ａ、２１ｂにおいて、独立して除湿することにより、それぞれの湿度を制御することができる。この構成により、例えば、第１空間２１ａ、２１ｂにおいて異なる定植苗１０ａ、１０ｂに最適な湿度環境に制御することができる。また、第１空間２１ａ、２１ｂにおいて、それぞれ異なる種類（例えば異なる濃度）の養液５ａ、５ｂを用いることができる。そのため、定植苗１０ａ、１０ｂに最適な養液５ａ、５ｂを与えることができる。水耕栽培装置１Ｆは、同時に異なる品種の根菜類を、一つの装置で栽培することができる。
【００５８】
なお、水耕栽培装置１Ｆにおいて、第１空間２１ａ、２１ｂに設けられる第１除湿部７１ａ、７１ｂの代わりに、図６に示すように第１空間２１の外に設けられる第２除湿部（図示せず）を設けてもよい。
【００５９】
（実施形態７）
以下、本発明の実施形態７における水耕栽培装置１Ｇについて図９を参照して説明する。図９は水耕栽培装置１Ｇの断面図である。
【００６０】
水耕栽培装置１Ｇは、独立する第２空間２２ａ、２２ｂと、共有する第１空間２１を有する。第２空間２２ａに温度制御部４ａが設けられ、第２空間２２ｂに温度制御部４ｂが設けられている。それ以外の構成は、実施形態１と同じである。
【００６１】
水耕栽培装置１Ｇは、独立する第２空間２２ａ、２２ｂにおいて、独立して温度の制御をすることができる。例えば、第２空間２２ａ、２２ｂにおいて異なる定植苗１０ａ、１０ｂに最適な温度環境に制御することができる。そのため、水耕栽培装置１Ｇは、同時に異なる品種の根菜類を、ひとつの装置で栽培することができる。
【００６２】
なお、水耕栽培装置１Ａ〜１Ｇの栽培槽２は、人間がその中で作業可能な大きさであってもよい。例えば、植物を育成するビニールハウスや、植物育成工場の育成部屋などでも良い。
【００６３】
また、水耕栽培装置１Ａから１Ｇの断面形状は、長方形状であるが、その限りではなく、例えば略半円状や多角形状でもよい。また、第１空間２１は遮光できることが好ましい。例えば、栽培槽２の第１空間２１を形成する部分に、遮光性材料を用いることが好ましい。例えば、栽培槽２の内側、あるいは外側に遮光性を有するシートを貼ってもよい。
【００６４】
また、各実施形態において、根菜類の定植苗の例としてジャガイモを育成する例を示したが、その限りではなく、他の根菜類の定植苗でもよい。
【符号の説明】
【００６５】
１Ａ，１Ｂ，１Ｃ，１Ｄ，１Ｅ，１Ｆ，１Ｇ  水耕栽培装置
２  栽培槽
２１，２１ａ，２１ｂ  第１空間
２２，２２ａ，２２ｂ  第２空間
３，３Ｂ  仕切り部材
３１  膨潤部材
３２  断熱部材
３３  貫通孔
３３１  第１貫通孔
３３２  第２貫通孔
３４１  第１主面
３４２  第２主面
４，４ａ，４ｂ  温度制御部
５，５ａ，５ｂ  養液
６  載置台
７１，７１ａ，７１ｂ  第１除湿部
７２  第２除湿部
７１１，７２１  連通部
１０，１０ａ，１０ｂ  定植苗（根菜類）
１０１  塊茎
１０２  茎部
１０３  根部
１０４  葉部
【図１】
2015128911.tif 000003
【図２】
2015128911.tif 000004
【図３】
2015128911.tif 000005
【図４】
2015128911.tif 000006
【図５】
2015128911.tif 000007
【図６】
2015128911.tif 000008
【図７】
2015128911.tif 000009
【図８】
2015128911.tif 000010
【図９】
2015128911.tif 000011
【国際調査報告】
2015128911.tif 000012
2015128911.tif 000013